(57)【要約】【課題】貯留槽の液面レベルに依存することなく安定した送出流量を維持できるとともに、貯留槽の内の薬液または血液が所定の液面レベル以下になった際は、流路を閉塞し、気泡の送出リスクを無くする構成を備える医療用リザーバを提供する。【解決手段】この医療用リザーバ１００は、ガイド孔１３０ｈを上下方向に移動可能なように、筒状壁１３１内に貯留槽１１０内に貯留される薬液の上下移動に伴って上下方向に移動し、少なくとも一部分が薬液の液面下に位置して、ガイド孔１３０ｈの最下端に位置した状態において、送出ポート１２０の送出孔１２０ｈとの連通を遮断する弁体１４０が収容されている。【選択図】図８
2014100421.tif 000002
【特許請求の範囲】
【請求項１】
管路内の薬液または血液が輸液ポンプによって送り出される前記管路に連結され、前記薬液または前記血液を貯留するとともに、前記管路に前記薬液または前記血液を供給する医療用リザーバであって、
前記薬液または前記血液を内部に貯留する貯留領域を形成する貯留槽と、
前記貯留槽の底面側に設けられるとともに前記管路が連結され、前記貯留槽内の前記薬液または前記血液を前記管路に送出する送出孔を形成する送出ポートと、
前記貯留槽の内部に設けられ、下端側が前記送出孔に連通し上端側が前記貯留槽の上方に向かって延びる筒状のガイド孔を形成し、前記貯留領域に連通する連通孔が設けられる筒状壁と、
前記ガイド孔を上下方向に移動可能なように、前記筒状壁内に収容され、前記貯留槽内に貯留される前記薬液または前記血液の上下移動に伴って上下方向に移動し、少なくとも一部分が前記薬液または前記血液の液面下に位置して、前記ガイド孔の最下端に位置した状態において、前記送出ポートの前記送出孔との連通を遮断する弁体と、
を有する医療用リザーバ。
【請求項２】
前記貯留槽は、対向配置される第１側壁と第２側壁とを含み、
前記第２側壁は、前記貯留槽の上側よりも下側の方が、前記第１側壁との距離が近くなるように傾斜しており、
前記筒状壁は、前記第１側壁に接して配置され、前記第１側壁は、前記筒状壁の一部を構成している、請求項１に記載の医療用リザーバ。
【請求項３】
前記第１側壁の前記筒状壁の一部を構成している領域は、前記ガイド孔内に収容される前記弁体を、前記貯留槽の外部から視認可能な部材で形成されている、請求項１または２に記載の医療用リザーバ。
【請求項４】
前記弁体の下端側の外周面は、下方に向かって窄む外面領域を含み、
前記筒状壁の前記送出ポートに連通する内周面は、前記弁体が前記ガイド孔の最下端に位置した状態において、前記外面領域に密着するように下方に向かって窄む内面領域を含む、請求項１から３のいずれか１項に記載の医療用リザーバ。
【発明の詳細な説明】
【技術分野】
【０００１】
この発明は、医療用リザーバに関し、より特定的には、内部に薬液または血液が貯留される医療用リザーバの構造に関する。
【背景技術】
【０００２】
人工肺を用いた体外血液循環においては、人体の静脈ラインから脱血ラインを経て脱血した静脈血を貯血槽内に一次的に貯留する。この貯血槽内の血液は、輸液ポンプ（ローラーポンプまたは血液ポンプ）を用いて人工肺に送血される。人工肺に送られた血液はガス交換され（以下、「ガス交換後血液」と称する。）、返血ラインを経て人体の動脈に返血される。
【０００３】
また、心臓病手術（開心術）等においては、一次的に心臓の心拍動を停止させる必要があるため、返血ラインを経て人体の動脈に返血される血液に、薬液として心筋保護液が加えられる。
【０００４】
心筋保護液は医療用リザーバに貯留され、医療用リザーバに連結された薬液ラインおよびローラポンプにより一定量の心筋保護液が、ガス交換後血液とともに人体の動脈に返血される。人工肺を用いた体外血液循環に用いられる貯血槽（医療用リザーバ）においても、返血ラインおよびローラポンプにより一定量の血液が人体の動脈に返血される。
【０００５】
人工肺を用いた体外血液循環に用いられる貯血槽の一例として、特開平０６−３９０３２号公報（特許文献１）が挙げられる。
【先行技術文献】
【特許文献】
【０００６】
【特許文献１】特開平０６−３９０３２号公報
【発明の概要】
【発明が解決しようとする課題】
【０００７】
上記特許文献１においては、貯血槽の血液量が少なくなった場合の気泡の管路への混入を防止するために、貯血槽の血液量が少なくなった場合に、血液が所定の液面レベルより低くなると流路を閉塞し、管路への気泡の流入を阻止するダイヤフラムを用いる構成が採用されている。しかし、ダイヤフラムを用いる構成は、貯血槽の液面レベルによって流路の閉塞の程度が変化するため、血液の送出流量が液面高さに依存してしまう課題がある。
【０００８】
したがって、この発明は上記課題に鑑みてなされたもので、この発明の目的は、管路内の薬液または血液が輸液ポンプによって送り出される管路に連結され、薬液または血液を貯留するとともに、管路に薬液または血液を供給する際に用いられる医療用リザーバにおいて、貯留槽の液面レベルに依存することなく安定した送出流量を維持できるとともに、貯留槽の内の薬液または血液が所定の液面レベル以下になった際は、流路を閉塞し、気泡の送出リスクを無くする構成を備える医療用リザーバを提供することにある。
【課題を解決するための手段】
【０００９】
この発明に基づいた医療用リザーバにおいては、管路内の薬液または血液が輸液ポンプによって送り出される上記管路に連結され、上記薬液または上記血液を貯留するとともに、上記管路に上記薬液または上記血液を供給する医療用リザーバであって、以下の構成を備える。
【００１０】
上記薬液または上記血液を内部に貯留する貯留領域を形成する貯留槽と、上記貯留槽の底面側に設けられるとともに上記管路が連結され、上記貯留槽内の上記薬液または上記血液を上記管路に送出する送出孔を形成する送出ポートと、上記貯留槽の内部に設けられ、下端側が上記送出孔に連通し上端側が上記貯留槽の上方に向かって延びるとともに上端が閉じた筒状のガイド孔を形成し、上記貯留領域に連通する連通孔が設けられる筒状壁と、上記ガイド孔を上下方向に移動可能なように、上記筒状壁内に収容され、上記貯留槽内に貯留される上記薬液または上記血液の液面の上下移動に伴って上下方向に移動し、少なくとも一部分が上記薬液または上記血液の液面下に位置して、上記ガイド孔の最下端に位置した状態において、上記送出ポートの上記送出孔との連通を遮断する弁体とを有する。
【００１１】
他の形態において、上記貯留槽は、対向配置される第１側壁と第２側壁とを含み、上記第２側壁は、上記貯留槽の上側よりも下側の方が、上記第１側壁との距離が近くなるように傾斜しており、上記筒状壁は、上記第１側壁に接して配置され、上記第１側壁は、上記筒状壁の一部を構成している。
【００１２】
他の形態において、上記第１側壁の上記筒状壁の一部を構成している領域は、上記ガイド孔内に収容される上記弁体を、上記貯留槽の外部から視認可能な部材で形成されている。
【００１３】
他の形態において、上記弁体の下端側の外周面は、下方に向かって窄む外面領域を含み、上記筒状壁の上記送出ポートに連通する内周面は、上記弁体が上記ガイド孔の最下端に位置した状態において、上記外面領域に密着するように下方に向かって窄む内面領域を含む。
【発明の効果】
【００１４】
この発明に基づいた医療用リザーバによれば、貯留槽の液面レベルに依存することなく安定した送出流量を維持できるとともに、貯留槽の内の薬液または血液が所定の液面レベル以下になった際は、流路を閉塞し、気泡の送出リスクを無くする構成を備える医療用リザーバを提供することを可能とする。
【図面の簡単な説明】
【００１５】
【図１】実施の形態１における心筋保護回路の全体構成の一例を示す模式図である。
【図２】実施の形態１における心筋保護回路に用いられる医療用リザーバの外観を示す全体斜視図である。
【図３】実施の形態１における心筋保護回路に用いられる医療用リザーバの外観を示す正面図である。
【図４】図２中ＩＶ−ＩＶ線矢視断面図である。
【図５】図２中Ｖ−Ｖ線矢視断面図である。
【図６】図２中ＶＩ−ＶＩ線矢視断面図である。
【図７】実施の形態１における医療用リザーバに用いられる弁体の外観を示す全体斜視図である。
【図８】実施の形態１における医療用リザーバの送出ポート近傍の拡大断面図である。
【図９】実施の形態１における医療用リザーバ内の液面の変化による弁体の移動状態を示す第１図である。
【図１０】実施の形態１における医療用リザーバ内の液面の変化による弁体の移動状態を示す第２図である。
【図１１】実施の形態１における医療用リザーバ内の液面の変化による弁体の移動状態を示す第３図である。
【図１２】実施の形態２における医療用リザーバのガイド孔の最下端形状および弁体の構造を示す断面図である。
【図１３】実施の形態２における医療用リザーバに用いられる弁体の外観を示す全体斜視図である。
【図１４】（ａ），（ｂ），（ｃ）は、実施の形態２における医療用リザーバに用いられる弁体の断面形状の他の形態を示す断面図である。
【図１５】実施の形態３における医療用リザーバのガイド孔の最下端形状および弁体の構造を示す断面図である。
【図１６】実施の形態３における医療用リザーバに用いられる弁体の外観を示す全体斜視図である。
【図１７】実施の形態４における医療用リザーバのガイド孔の最下端形状および弁体の構造を示す断面図である。
【図１８】図１７中ＸＶＩＩＩ−ＸＶＩＩＩ線矢視断面図である。
【発明を実施するための形態】
【００１６】
本発明に基づいた各実施の形態における医療用リザーバについて、以下、図を参照しながら説明する。なお、以下に説明する各実施の形態において、個数、量などに言及する場合、特に記載がある場合を除き、本発明の範囲は必ずしもその個数、量などに限定されない。また、実施の形態に表れる構成を適宜組み合わせて用いることは当初から予定されていることである。
【００１７】
（実施の形態１）
以下、図１から図８を参照して、本実施の形態における医療用リザーバの構造について説明する。図１は、本実施の形態における心筋保護回路の全体構成の一例を示す模式図、図２は、本実施の形態における心筋保護回路に用いられる医療用リザーバ１００の外観を示す全体斜視図、図３は、医療用リザーバ１００の外観を示す正面図、図４は、図２中ＩＶ−ＩＶ線矢視断面図、図５は、図２中Ｖ−Ｖ線矢視断面図、図６は、図２中ＶＩ−ＶＩ線矢視断面図、図７は、医療用リザーバ１００に用いられる弁体１４０の外観を示す全体斜視図、図８は、医療用リザーバ１００の送出ポート１２０近傍の拡大断面図である。
【００１８】
（心筋保護回路）
まず、図１を参照して、人工肺を用いた体外血液循環において、心臓病手術（開心術）に用いられる心筋保護回路の全体構成の一例について説明する。人工肺装置５００によってガス交換されたガス交換後血液は、返血ラインＬ２に導出される。心筋保護液が貯留された医療用リザーバ１００には、管路としてチューブからなる薬液ラインＬ１が連結されている。本実施の形態では、医療用リザーバ１００は、２組設けられている状態を図示している。薬液ラインＬ１には、図示しない流路切り替コックが設けられている。
【００１９】
薬液ラインＬ１および返血ラインＬ２は、輸液ポンプＰ１の作用により一定量が送り出された後、ガス交換後血液に心筋保護液が混合されて、一本の返血ラインＬ３となる。返血ラインＬ３には、熱交換器６００が設けられており、返血ラインＬ３中のガス交換後血液を所定の温度にまで加温する。その後、ガス交換後血液は、人体の動脈（心臓）Ｈ１に返血される。
【００２０】
（医療用リザーバ１００）
次に、図２から図８を参照して、本実施の形態における医療用リザーバ１００の構造について説明する。本実施の形態における医療用リザーバ１００は、薬液ラインＬ１に連結され、心筋保護液（薬液）を貯留するとともに、薬液ラインＬ１に心筋保護液を供給する。
【００２１】
図３および図４を参照して、本実施の形態における医療用リザーバ１００は、樹脂成形品であり、心筋保護液を内部に貯留する貯留領域１１０ａを形成する貯留槽１１０と、貯留槽１１０の上端部の開口を塞ぐ蓋１７０とを有する。貯留槽１１０は、対向配置される第１側壁１１０Ａと第２側壁１１０Ｂとを含み、第２側壁１１０Ｂは、貯留槽１１０の上側よりも下側の方が、第１側壁１１０Ａとの距離が近くなるように傾斜している。
【００２２】
第１側壁１１０Ａは、上下方向に延びる第１上側側壁部１１１と、第１側壁１１０Ａの中間領域に設けられ第２側壁１１０Ｂ側に向かって傾斜する第１傾斜壁１１２と、上下方向に延びる第１下側側壁部１１３とを有する。
【００２３】
第２側壁１１０Ｂは、上下方向に延びるとともに、第１側壁１１０Ａ側に向かって緩く傾斜する第２上側側壁部１１４と、第１側壁１１０Ａ側に向かって大きく傾斜する第２傾斜壁１１５と、第１側壁１１０Ａ側に向かって緩く傾斜する中間側壁部１１６と、第１側壁１１０Ａ側に向かって大きく傾斜する第３傾斜壁１１８と、第１側壁１１０Ａ側に向かって緩く傾斜する底面壁部１１９とを有する。
【００２４】
本実施の形態における医療用リザーバ１００の寸法は（図３参照）は、Ｈ＝約３３９ｍｍ、Ｗ＝約２２６ｍｍ、Ｈ１１＝約１４０ｍｍ、Ｈ１２＝約３５ｍｍ、Ｈ１３＝約１６４ｍｍ、Ｈ１４＝約１４７ｍｍ、Ｈ１５＝約２３ｍｍ、Ｈ１６＝約１１５ｍｍ、Ｈ１７＝約１８ｍｍ、Ｈ１８＝約３６ｍｍ、Ｗ１＝約２０ｍｍ、Ｗ２＝約３６ｍｍ、Ｗ３＝約５５ｍｍ、Ｗ４＝約２４ｍｍ、Ｗ５＝約６２ｍｍ、Ｗ６＝約２６ｍｍ程度である。また、医療用リザーバ１００の厚さ（Ｄ：図５）は、約５０ｍｍ程度である。
【００２５】
貯留槽１１０の底面側には、薬液ラインＬ１が連結され、貯留槽１１０内の心筋保護液を薬液ラインＬ１に送出する送出孔１２０ｈを形成する送出ポート１２０が設けられている。
【００２６】
図４から図６を参照して、貯留槽１１０の内部には、貯留領域１１０ａに連通する複数の連通孔１３２ｈ１，１３２ｈ２，１３２ｈ３が設けられ、下端側が送出孔１２０ｈに連通し上端側が貯留槽１１０の上方に向かって延びるとともに上端が閉じた筒状のガイド孔１３０ｈを形成し、横断面が環状形状の筒状壁１３１が設けられている。連通孔１３２ｈ１，１３２ｈ２，１３２ｈ３は、上下方向に延びるスリット状の開口部である。なお、連通孔の形状は、スリット状の開口形状には限定されない。
【００２７】
本実施の形態においては、筒状壁１３１は、第１側壁１１０Ａの第１下側側壁部１１３に接して配置され、第１下側側壁部１１３は、筒状壁１３１の一部を構成している。第１下側側壁部１１３の筒状壁１３１の一部を構成する領域は、外面側に略半円形状に膨出している（図６中のＳで示す領域）。
【００２８】
貯留槽１１０において、略半円形状に膨出している領域を外部から内部を視認することができる部材（たとえば、透明部材、半透明部材）で形成することにより、後述する弁体１４０の上下移動位置を外部から容易に確認することが可能になる。
【００２９】
筒状壁１３１の内部には、ガイド孔１３０ｈを上下方向に移動可能なように弁体１４０が収容されている。弁体１４０は、貯留槽１１０内に貯留される心筋保護液の液面の上下移動に伴って上下方向に移動し、少なくとも一部分が心筋保護液の液面（図８のＳ１参照）よりも下に位置して、ガイド孔１３０ｈの最下端に位置した状態において、送出ポート１２０の送出孔１２０ｈとの連通を遮断する。
【００３０】
図７および図８を参照して、本実施の形態における弁体１４０について説明する。弁体１４０は外周面が円筒形状外面領域１４１と、円筒形状外面領域１４１の下端側においてその外周面が、下方に向かって窄む円錐形状外面領域１４２とを有する。弁体１４０は、少なくとも一部分が心筋保護液の液面Ｓ１の下に位置するように比重が調節された材料からなり、一体成形品であってもよいし、２部品以上の構成からなる組合せ品であってもよい。
【００３１】
筒状壁１３１の送出ポート１２０に連通する内周面は、弁体１４０がガイド孔１３０ｈの最下端に位置した状態において、円錐形状外面領域１４２に密着するように下方に向かって窄むガイド孔内面領域１３２を含む。
【００３２】
本実施の形態においては、弁体１４０はスチレン系ゴムを用いて成形され、寸法は、円筒形状外面領域１４１の長さ（Ｈ１）は、約１３ｍｍ程度、直径（Ｄ１）は、約８ｍｍ程度、円錐形状外面領域１４２の長さ（Ｈ２）は、約５ｍｍ程度、下端部の直径（Ｄ２）は、約３．５ｍｍ程度である。弁体１４０の材質は、ポリカーボネート、ポリプロピレン、スチレン系ゴム、シリコンゴム、エラストマーなど、人体への影響の少ない材質であることが好ましい。より好ましくは、上記性質に加えて、弁体１４０がガイド孔１３０ｈの内面領域に密着する際に、送出ポート１２０の送出孔１２０ｈとの連通がより遮断され易い弾性を有する材質であることが好ましい。
【００３３】
（弁体１４０の移動）
次に、図９から図１１を参照して、心筋保護液Ａの液面Ｓ１の上下移動に伴って弁体１４０が上下方向に移動する状態について説明する。図９から図１１は、本実施の形態における医療用リザーバ１００内の液面Ｓ１の変化による弁体１４０の移動状態を示す第１図から第３図である。
【００３４】
図９を参照して、医療用リザーバ１００の貯留槽１１０の内部には、十分な心筋保護液Ａが貯留されている状態を示している。心筋保護液Ａの液面Ｓ１は、筒状壁１３１の上端よりも上に位置している。その結果、弁体１４０は、ガイド孔１３０ｈの最上端に位置し、筒状壁１３１の上端に設けられた蓋部１３１ｂに当接し、それ以上の浮上は阻止されている。
【００３５】
図１０を参照して、貯留槽１１０の内部の心筋保護液Ａの液面Ｓ１が、ガイド孔１３０の上端よりも下方に位置した状態を示している。弁体１４０は、心筋保護液Ａの液面Ｓ１の下方への移動に伴って下方に移動し、一部が液面Ｓ１の上に露出し、その他の部分は、液面Ｓ１の下（液面下）に位置している。
【００３６】
心筋保護液Ａの液面Ｓ１は、ガイド孔１３０ｈ内と貯留領域１１０ａとにおいては、筒状壁１３１に、連通孔１３２ｈ１，１３２ｈ２，１３２ｈ３が設けられていることから、常に同じ液面高さとなる。
【００３７】
なお、再び図８を参照して、最下段に位置する連通孔１３２ｈ３の位置は、弁体１４０により送出ポート１２０の送出孔１２０ｈとの連通を遮断した状態においても、ガイド孔１３０ｈ内と貯留領域１１０ａとにおいて液面高さを一致させるために、液面Ｓ１よりも下方の領域に設けておく。
【００３８】
貯留槽１１０において、第１下側側壁部１１３の略半円形状に膨出している領域を外部から内部を視認することができる部材（たとえば、透明部材、半透明部材）で形成した場合、弁体１４０の位置を外部から確認することができる。また、第１下側側壁部１１３に目盛を付しておくことで、心筋保護液Ａの残量を確認することもできる。
【００３９】
図１１を参照して、貯留槽１１０の内部の心筋保護液Ａの液面Ｓ１が、ガイド孔１３０ｈの最下端に位置した状態を示している。この状態は、図８に示した状態と同じであり、弁体１４０の円錐形状外面領域１４２がガイド孔内面領域１３２に密着することで、送出ポート１２０の送出孔１２０ｈとの連通が遮断される。
【００４０】
このとき、弁体１４０の円錐形状外面領域１４２は、心筋保護液Ａの液面Ｓ１よりも下に位置していることから、円錐形状外面領域１４２がガイド孔内面領域１３２に密着する状態においても、貯留領域１１０ａには心筋保護液Ａが残存している状態である。その結果、貯留領域１１０ａが空の状態になる前に送出ポート１２０の送出孔１２０ｈとの連通が遮断されることから、空気が送出ポート１２０に送り出されることはない。
【００４１】
また、本実施の形態における医療用リザーバ１００は、樹脂成形品からなる貯留槽１１０および蓋１７０と弁体１４０とのみから構成されているため、製造コストの上昇を抑制することを可能としている。
【００４２】
（実施の形態２）
図１２から図１４を参照して、実施の形態２における医療用リザーバ２００について説明する。図１２は、本実施の形態における医療用リザーバのガイド孔の最下端形状および弁体の構造を示す断面図、図１３は、本実施の形態における医療用リザーバに用いられる弁体の外観を示す全体斜視図、図１４（ａ），（ｂ），（ｃ）は、本実施の形態における医療用リザーバに用いられる弁体の断面形状の他の形態を示す断面図である。
【００４３】
上記実施の形態１における医療用リザーバ１００との相違点は、弁体の形状にある。医療用リザーバ１００に用いた弁体１４０は、下方に向かって窄む円錐形状外面領域１４２が設けられていた。しかし、本実施の形態における医療用リザーバ２００においては、外面が円柱形状の弁体１５０を用いている。その他の構成は、実施の形態１における医療用リザーバ１００と同じである。
【００４４】
図１２に示すように、このような形状を有する弁体１５０であっても、弁体１５０がガイド孔１３０ｈの最下端に位置した状態において、弁体１５０の底面１５０ｂが送出孔１２０ｈを塞ぐことで、実施の形態１における弁体１４０と同様に、貯留領域１１０ａが空の状態になる前に送出ポート１２０の送出孔１２０ｈとの連通を遮断することができる。これにより、実施の形態１の医療用リザーバ１００と同様の作用効果を得ることができる。
【００４５】
弁体１５０は、弁体１４０と同様に、少なくとも一部分が心筋保護液の液面Ｓ１の下に位置するように比重が調節された材料からなり、一体成形品であってもよいし、図１３に示すように、上側部材１５１および下側部材１５２の２部品以上の構成からなる組合せ品であってもよい。
【００４６】
図１４を参照して、弁体１５０の横断面は、（ａ）に示す円形に限定されず、（ｂ）の四角形、（ｃ）の六角形、その他の多角形の形状を採用することもできる。弁体１５０の横断面形状を多角形にし、筒状壁１３１の内面も弁体１５０の外面に合わせた多角形の内面形状にしてもよい。
【００４７】
（実施の形態３）
図１５および図１６を参照して、実施の形態３における医療用リザーバ３００について説明する。図１５は、本実施の形態における医療用リザーバのガイド孔の最下端形状および弁体の構造を示す断面図、図１６は、本実施の形態における医療用リザーバに用いられる弁体の外観を示す全体斜視図である。
【００４８】
上記実施の形態１における医療用リザーバ１００との相違点は、弁体の形状にある。医療用リザーバ１００に用いた弁体１４０は、下方に向かって窄む円錐形状外面領域１４２が設けられていた。しかし、本実施の形態における医療用リザーバ３００においては、球形状の弁体１６０を用いている。その他の構成は、実施の形態１における医療用リザーバ１００と同じである。
【００４９】
図１５に示すように、このような形状を有する弁体１６０であっても、弁体１６０がガイド孔１３０ｈの最下端に位置した状態において、弁体１６０の底面１６０ｂが送出孔１２０ｈを塞ぐことで、実施の形態１における弁体１４０と同様に、貯留領域１１０ａが空の状態になる前に送出ポート１２０の送出孔１２０ｈとの連通を遮断することができる。これにより、実施の形態１の医療用リザーバ１００と同様の作用効果を得ることができる。
【００５０】
弁体１６０は、弁体１４０と同様に、少なくとも一部分が心筋保護液の液面Ｓ１の下に位置するように比重が調節された材料からなり、一体成形品であってもよいし、図１６に示すように、上側部材１６１および下側部材１６２の２部品以上の構成からなる組合せ品であってもよい。
【００５１】
（実施の形態４）
図１７および図１８を参照して、実施の形態４における医療用リザーバ４００について説明する。図１７は、本実施の形態における医療用リザーバのガイド孔の最下端形状および弁体の構造を示す断面図、図１８は、図１７中ＸＶＩＩＩ−ＸＶＩＩＩ線矢視断面図である。
【００５２】
上記実施の形態１から３における医療用リザーバ１００，２００，３００においては、筒状壁１３１は、第１側壁１１０Ａの第１下側側壁部１１３に接して配置され、第１下側側壁部１１３は、筒状壁１３１の一部を構成している。
【００５３】
本実施の形態における医療用リザーバ４００においては、筒状壁１３１は、第１下側側壁部１１３に接しておらず、第１下側側壁部１１３に対して独立した形態を有している。その他の構成は、実施の形態１における医療用リザーバ１００と同じである。これにより、実施の形態１の医療用リザーバ１００と同様の採用効果を得ることができる。
【００５４】
上記各実施の形態において弁体に用いる材料としては、弁体が心筋保護液Ａに浮く際に、送出孔１２０ｈ内面と弁体とが密着する面より、上部に心筋保護液Ａの液面Ｓ１を保持できるような比重を有するものがよい。すなわち液面Ｓ１と密着面との間にある程度の長さを保持し、心筋保護液Ａが全て送出される前に弁体の密着面と送出孔１２０ｈ内面とが物理的に接触できる材質であるとよい。
【００５５】
弁体の形状としては、（１）その一部が心筋保護液の送出孔１２０ｈ内面と密着して液密性を保持できる形状、および（２）弁体の閉塞に関与する面より液面Ｓ１を上部に保持できる、すなわちある程度の長さを有する形状がよい。
【００５６】
弁体を内蔵するガイド孔１３０ｈの形状は、（１）円筒状に限定されず、弁体の上下動の際に向きを保持できる形状（弁体が上下逆にならない寸法と形状、弁体の閉塞機構を阻害する程度の傾きが起こらない寸法と形状）、および、（２）心筋保護液の貯留領域１１０ａの液面とガイド孔１３０ｈの液面を同一とできるように、部分的に貯留領域１１０ａとガイド孔１３０ｈが連通している形状を有するとよい。
【００５７】
上記各実施の形態においては、心筋保護液を貯留する医療用リザーバに本発明を適用した場合について説明しているが、本発明は、心筋保護液を貯留する医療用リザーバに限定されず、血液を貯留する医療用リザーバに適用することも可能である。
【００５８】
また、上記各実施の形態における医療用リザーバ１００〜４００の貯留槽１１０の形態は一例であって、正方形形状、長方形形状、および円柱状形状を採用することも可能である。
【００５９】
以上、本発明に基づいた各実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００６０】
１００，２００，３００，４００  医療用リザーバ、１１０  貯留槽、１１０Ａ  第１側壁、１１０Ｂ  第２側壁、１１０ａ  貯留領域、１１１  第１上側側壁部、１１２  第１傾斜壁、１１３  第１下側側壁部、１１４  第２上側側壁部、１１５  第２傾斜壁、１１６  中間側壁部、１１８  第３傾斜壁、１１９  底面壁部、１２０  送出ポート、１２０ｈ  送出孔、１３０ｈ  ガイド孔、１３１  筒状壁、１３１ｂ  蓋部、１３２  ガイド孔内面領域、１３２ｈ１，１３２ｈ２，１３２ｈ３  連通孔、１４０，１５０，１６０  弁体、１４１  円筒形状外面領域、１４２  円錐形状外面領域、１５０ｂ  底面、１５１，１６１  上側部材、１５２，１６２  下側部材、１７０  蓋、５００  人工肺装置、６００  熱交換器、Ａ  心筋保護液、Ｌ１，Ｌ３  薬液ライン、Ｌ２  返血ライン、Ｐ１  輸液ポンプ。
【図１】
2014100421.tif 000003
【図２】
2014100421.tif 000004
【図３】
2014100421.tif 000005
【図４】
2014100421.tif 000006
【図５】
2014100421.tif 000007
【図６】
2014100421.tif 000008
【図７】
2014100421.tif 000009
【図８】
2014100421.tif 000010
【図９】
2014100421.tif 000011
【図１０】
2014100421.tif 000012
【図１１】
2014100421.tif 000013
【図１２】
2014100421.tif 000014
【図１３】
2014100421.tif 000015
【図１４】
2014100421.tif 000016
【図１５】
2014100421.tif 000017
【図１６】
2014100421.tif 000018
【図１７】
2014100421.tif 000019
【図１８】
2014100421.tif 000020